(57)【要約】【課題】複数のブラケット撮影機能を有するカメラにおいて、同時に複数のブラケット撮影機能を様々な方法で、多様に利用可能にする。【解決手段】複数のブラケット撮影機能を設定可能なカメラにおいて、前記ブラケット撮影機能の設定を複数同時に可能にする設定手段と、該設定手段により複数のブラケット撮影機能が同時に設定された場合、前記複数のブラケット撮影を実行する制御手段（Ｓ１１〜Ｓ１３）とを有する。また、前記設定手段により複数のブラケット撮影機能が同時に設定された場合に、前記複数のブラケット機能を実行する際の、撮影処理を選択する選択手段を有する。【選択図】図１０
2005173169.tif 000002
【特許請求の範囲】
【請求項１】
複数のブラケット撮影機能を設定可能なカメラにおいて、前記ブラケット撮影機能の設定を複数同時に可能にする設定手段と、該設定手段により複数のブラケット撮影機能が同時に設定された場合、前記複数のブラケット撮影を実行する制御手段とを有することを特徴とするカメラ。
【請求項２】
前記設定手段により複数のブラケット撮影機能が同時に設定された場合に、前記複数のブラケット機能を実行する際の、撮影処理を選択する選択手段を有することを特徴とする請求項１に記載のカメラ。
【請求項３】
前記撮影処理は、前記複数のブラケット撮影を順番に行う、前記複数のブラケット撮影を組み合わせて行う、のうちの少なくとも１つが選択されることを特徴とする請求項１又は２に記載のカメラ。
【請求項４】
前記複数のブラケット撮影がすべて終了するまでの間に、少なくとも１つ以上のブラケット撮影機能の設定が変更された場合、変更後の設定において、前記複数のブラケット撮影を最初の駒からやり直すことを特徴とする請求項１ないし３のいずれかに記載のカメラ。
【請求項５】
前記複数のブラケット撮影がすべて終了するまでの間に、少なくとも１つ以上のブラケット撮影機能の設定が変更された場合、変更後の設定において、以後の前記ブラケット撮影を継続することを特徴とする請求項１ないし３のいずれかに記載のカメラ。
【請求項６】
前記複数のブラケット撮影がすべて終了するまでの間は、少なくとも１つ以上のブラケット撮影機能の再設定を禁止することを特徴とする請求項１ないし３のいずれかに記載のカメラ。
【請求項７】
前記複数のブラケット撮影がすべて終了した後も、前記複数のブラケット影機能の各設定を保持することを特徴とする請求項１ないし６のいずれかに記載のカメラ。
【発明の詳細な説明】
【技術分野】
【０００１】
本発明は、複数のブラケット撮影機能を備えたカメラに関するものである。
【背景技術】
【０００２】
従来より、各撮影駒ごとの露出量を段階的に変化させて撮影を行う露出ブラケット(Automatic Exposure Bracket)撮影機能を備えた、銀塩フィルムを用いるカメラは知られている（例えば特許文献１）。また近年、ブラケット撮影機能として、前記露出ブラケット撮影以外に、ホワイトバランス補正（色温度調整等）を自動的に行うブラケット撮影機能（例えば特許文献２）やＩＳＯ感度の値を自動的に変化させるブラケット撮影機能を備えた電子カメラも提案されている（例えば特許文献３）。
【特許文献１】特開２０００-１３７２６０号公報
【特許文献２】特開２００１−５４０１３号公報
【特許文献２】特開２００３−１０１８６９号公報
【発明の開示】
【発明が解決しようとする課題】
【０００３】
ところで、複数のブラケット撮影機能を備えた従来の電子カメラにおいては、折角複数のブラケット撮影機能を備えていながら、１つのブラケット撮影機能でしか撮影できないため、複数のうちのいずれか１つのオートブラケット撮影機能が設定されてしまうと、残りのブラケット撮影機能については設定すら不可能であった。これでは複数のブラケット撮影機能の用途としては不十分であり、また複数のブラケット撮影機能を多様に使用したいユーザーにとっては、操作が煩わしいという問題があった。
【課題を解決するための手段】
【０００４】
前記課題を解決するために、本発明は、複数のブラケット撮影機能を設定可能なカメラにおいて、前記ブラケット撮影機能の設定を複数同時に可能にする設定手段と、該設定手段により複数のブラケット撮影機能が同時に設定された場合、前記複数のブラケット撮影を実行する制御手段とを有するカメラとするものである。
【０００５】
上記構成において、複数のブラケット撮影機能が同時に設定された場合、前記複数のブラケット撮影を順番に行う、前記複数のブラケット撮影を組み合わせて行う、のうちの少なくとも１つが選択され、複数のブラケット撮影が実行されるようにしている。
【発明の効果】
【０００６】
本発明によれば、複数のブラケット撮影機能を有するカメラにおいて、同時に複数のブラケット撮影機能を様々な方法で、多様に利用可能なカメラを提供することができる。
【発明を実施するための最良の形態】
【０００７】
以下の実施例に示す通りである。
【実施例】
【０００８】
図１は、本発明の一実施例に係わる電子カメラの回路構成の概略を示すブロック図である。同図において、制御回路４は、例えばマイクロコンピュータ等で構成され、カメラ各部の動作を制御するものであり、レンズ１、露出制御装置２、撮像素子３、表示装置５、操作部材６が電気的に接続されている。
【０００９】
露出制御装置２は、シャッタと絞り及びこれらを制御する制御部から構成され、シャッタと絞りを制御して実際の撮影を行う。撮像素子３は、レンズ１からの光学像を電気信号に変換する。表示装置５は、各ブラケット撮影の設定状態、及び、Ｔｖ値、Ａｖ値を表示する装置であり、それ以外にも、メニュー表示等を行うＴＦＴ（Thin Film Transistor）液晶表示部も含む。操作部材６は、シャッタ釦や電子ダイアルなどの各操作部材を含み、それらには各ブラケット撮影機能を設定、解除する部材や、メニュー表示における選択、決定、キャンセル等の部材も含まれる。なお、本実施例におけるカメラには、ブラケット撮影機能として、露出ブラケット撮影機能、ＩＳＯ感度ブラケット撮影機能及びホワイトバランスブラケット撮影機能が備わっているものとする。
【００１０】
図２は、図１の表示装置５に含まれる外部ＬＣＤ（外部液晶表示部）であり、全セグメントが点灯した状態を示している。
【００１１】
次に、上記構成のカメラの動作について、以下に示す図を参照しながら説明する。
【００１２】
まず、露出ブラケット撮影機能の設定について説明する。露出ブラケット撮影機能とは、前述したように、各撮影駒ごとの露出量を段階的に変化させて撮影を行う機能のことであり、このブラケット撮影における撮影駒数及び最大設定段数はメニュー等により変更することが可能である。本実施例では、撮影駒数は３駒、最大設定段数は３段ということで説明を進める。
【００１３】
露出ブラケット撮影機能は、操作部材６に含まれる露出ブラケット撮影機能設定釦を押下することでその設定状態に入ることができる。そしてこの設定状態において、同じく操作部材６に含まれる電子ダイアルを操作することにより、段数の設定、解除を行うことができる。段数の設定については、０．０段（解除）〜３．０段の間で任意に変更することが可能である。図３に、この露出ブラケット撮影機能の設定を示すマーク（斜線が描かれた四角形、黒塗りされた四角形、白抜きの四角形で示したマーク）及び段数設定状態（−１．０段，０．０段，１．０段）における前記外部ＬＣＤでの表示状態を示す。
【００１４】
次に、ＩＳＯ感度ブラケット撮影機能の設定について説明する。ＩＳＯ感度ブラケット撮影機能とは、前述したように、各撮影駒ごとのＩＳＯ感度の値を自動的に変化させて撮影を行う機能のことであり、このブラケット撮影における撮影駒数及び最大設定段数はメニュー等により変更することが可能である。本実施例では、撮影駒数は３駒、最大設定段数は３．０段ということで説明を進める。
【００１５】
ＩＳＯ感度ブラケット撮影機能は、操作部材６に含まれるＩＳＯ感度ブラケット撮影機能設定釦を押下することでその設定状態に入ることができる。そしてこの設定状態において、同じく操作部材６に含まれる電子ダイアルを操作することにより、段数の設定、解除を行うことができる。段数の設定については、０．０段（解除）〜３．０段の間で任意に変更することが可能である。図４に、このＩＳＯ感度ブラケット撮影機能の設定を示すマーク（ＩＳＯと書いた四角形、黒塗りされた四角形、白抜きの四角形で示したマーク）及び段数設定状態（−２．０段，０．０段，２．０段）における前記外部ＬＣＤでの表示状態を示す。
【００１６】
次に、複数のブラケット撮影機能を設定して、撮影を行う場合について説明する。なお、複数のブラケット撮影機能の設定は、操作部材６に含まれる各設定釦（露出ブラケット撮影機能設定釦、ＩＳＯ感度ブラケット撮影機能設定釦）を順次押下することで可能である。
【００１７】
複数のブラケット撮影機能を設定している場合、操作部材６に含まれるメニュー釦の押下により、この際の制御回路４にて行うことができる２種類の撮影処理（撮影条件）が、図９に示すように表示装置５に含まれるＴＦＴ液晶表示部にてメニュー表示される。そして、電子ダイアルを操作することにより、どちらかの撮影処理を選択可能になっている。この実施例では、図９（ａ）に示すように「複数のブラケット撮影を順番に行う」撮影処理か、図９（ｂ）に示すように「複数のブラケット撮影を組み合わせて行う」撮影処理のどちらかを選択可能である。このように本実施例では、どちらの撮影処理が選択されたとしても、設定された複数のブラケット撮影は実行されるので、既に１つのブラケット撮影機能が設定済の状態であっても、残りのブラケット撮影についても行うことができるものである。
【００１８】
なお、各ブラケット撮影機能の設定についてはそれぞれ単独で行うため、特に設定状態時の表示等に変更があるわけではない。その為、既にＩＳＯ感度ブラケット撮影機能が設定済であっても、露出ブラケット撮影機能設定時の表示は前述した図３の状態となる。
【００１９】
但し、どちらの撮影処理（メニュー）が選択されているのかによって、複数のブラケット撮影機能が設定されている場合における、カメラのスタンバイ状態時の表示は異なってくる。これは、ユーザーの混乱を防ぐ為であり、仮に、露出ブラケット撮影時の段数が１．０段、ＩＳＯ感度ブラケット撮影時の段数が２．０段として設定されている場合を例にすると、「複数のブラケット撮影を順番に行う」撮影処理が選択された場合は、外部ＬＣＤでの表示は、図５に示すような表示となる。つまり、露出ブラケット撮影機能設定マークからＩＳＯ感度ブラケット撮影機能設定マークへ向けて、矢印が表示され、かつ、上段に露出ブラケット撮影時の段数が、下段にＩＳＯ感度ブラケット撮影時の段数が、それぞれ表示される。一方、「複数のブラケット撮影を組み合わせて行う」撮影処理が選択された場合は、図６に示すような表示となる。つまり、段数表示については同様であるが、露出ブラケット撮影機能設定マークとＩＳＯ感度ブラケット撮影機能設定マークの間には何も表示されない。
【００２０】
次に、複数のブラケット撮影機能が設定されている場合における制御回路４での動作について、図１０ないし図１２のフローチャートを用いて以下に説明する。
【００２１】
なお、本実施例では、上記のブラケット撮影機能の他に、ホワイトバランスブラケット撮影機能設定釦により、ホワイトバランス補正（色温度調整等）値を自動的に変化させるホワイトバランスブラケット撮影機能を設定することができ、このホワイトバランスブラケット撮影機能も設定されているものとして、以下説明を進める。
【００２２】
まず、図１０のフローチャートについて説明する。操作部材６に含まれるシャッタ釦が全押下されると、制御回路４は、ステップＳ１１にて、２種類の撮影処理のうち、どちらの撮影処理にて複数のブラケット撮影をすることがメニュー釦及び電子ダイアルによって選択されているかを判定する。この結果、「複数のブラケット撮影を順番に行う」撮影処理が選択されていた場合はステップＳ１２へ進み、複数のブラケット撮影を順番に行う撮影処理を実行する（詳細は図１１にて行う）。一方、「複数のブラケット撮影を組み合わせて行う」撮影処理が選択されている場合は、ステップＳ１３にて複数のブラケット撮影を組み合わせて行う撮影処理を実行する（詳細は図１２にて行う）。
【００２３】
次に、図１０のステップＳ１２にて実行される動作（複数のブラケット撮影を順番に行う撮影処理）について、図１１のフローチャートを用いて説明する。
【００２４】
複数設定されたブラケット撮影を行う順番は、カメラによって所望の順番に変えられるものでも良いが、本実施例では、露出ブラケット撮影→ＩＳＯ感度ブラケット撮影→ホワイトバランスブラケット撮影の順番で行うものとする。なお、図１１及び以下の図１２のフローでは、露出ブラケット撮影を「ＡＥブラケット」、ＩＳＯ感度ブラケット撮影を「ＩＳＯブラケット」、ホワイトバランスブラケット撮影を「ＷＢブラケット」と略記している。
【００２５】
図１１において、制御回路４は、まずステップＳ２１にて、露出ブラケット撮影が設定済かどうかを判定し、設定済でない場合は直ちにステップＳ２３へ進む。一方、露出ブラケット撮影機能が設定済と判定した場合はステップＳ２１からステップＳ２２へ進み、露出ブラケット撮影、つまり自動的に露出値を変化させての３駒撮影を行う。この露出ブラケット撮影における１駒撮影後の外部ＬＣＤでの表示状態を、図７に示している。図７において、グレーの部分は点滅表示など、注意を促す表示とすることで、現在露出ブラケットの撮影であるということと、次に撮影するのがアンダー側、標準、オーバー側のどこなのかが明確に分かるようにしてある。
【００２６】
前記露出ブラケット撮影３駒すべてが終了、もしくは、ステップＳ２１で露出ブラケット撮影が設定済でないと判定した場合は、ステップＳ２３へ進み、ここではＩＳＯ感度ブラケット撮影が設定済かどうかを判定する。ＩＳＯ感度ブラケット撮影機能が設定済でない場合は直ちにステップＳ２５へ進む。一方、ＩＳＯ感度ブラケット撮影が設定済と判定した場合はステップＳ２３からステップＳ２４へ進み、ＩＳＯ感度ブラケット撮影、つまり自動的にＩＳＯ感度を変化させての３駒撮影を行う。
【００２７】
前記ＩＳＯ感度ブラケット撮影３駒すべてが終了、もしくは、ステップＳ２３でＩＳＯ感度ブラケット撮影が設定済でないと判定した場合は、ステップＳ２５へ進み、今度はホワイトバランスブラケット撮影が設定済かどうかを判定する。ホワイトバランスブラケット撮影機能が設定済でない場合は、この複数のブラケット撮影を順番に行う撮影処理を終了する。一方、ホワイトバランスブラケット撮影機能が設定済と判定した場合はステップＳ２６へ進み、ホワイトバランスブラケット撮影、つまり自動的にホワイトバランス補正値を変化させての３駒撮影を行う。そして、このブラケット撮影が終了した時点で、この複数のブラケット撮影を順番に行う撮影処理を終了する。
【００２８】
次に、図１０のステップＳ１３にて実行される動作（複数のブラケット撮影を組み合わせて行う撮影処理）について、図１２のフローチャートを用いて説明する。
【００２９】
図１２において、制御回路４は、まずステップＳ３１にて、露出ブラケット撮影が設定済かどうかを判定し、設定済でない場合は直ちにステップＳ３３へ進む。一方、露出ブラケット撮影が設定済と判定した場合はステップＳ３２へ進み、露出設定処理を行う。ここでの露出設定処理とは、カメラの設定によりブラケット撮影の順序（アンダー側、標準、オーバー側をどういう順序で撮影するか）が多様に変更することが可能であるので、それに応じてアンダー側、標準、オーバー側のいずれかに露出を設定する処理のことを言う。
【００３０】
次に、ステップＳ３３へ進み、ＩＳＯ感度ブラケット撮影が設定済かどうかを判定し、設定済でない場合は直ちにステップＳ３５へ進む。一方、ＩＳＯ感度ブラケット撮影が設定済と判定した場合はステップＳ３４へ進み、ＩＳＯ感度設定処理を行う。ここでのＩＳＯ感度設定処理も、前記露出設定処理と同様、カメラの設定によりブラケット撮影の順序（低ＩＳＯ感度側、標準ＩＳＯ感度、高ＩＳＯ感度側をどういう順序で撮影するか）が多様に変更可能であるので、それに応じて低ＩＳＯ感度側、標準ＩＳＯ感度、高ＩＳＯ感度側のいずれかにＩＳＯ感度を設定する処理のことを言う。
【００３１】
次に、ステップＳ３５へ進み、ホワイトバランスブラケット撮影が設定済かどうかを判定し、設定済でない場合はステップＳ３７へ直ちに進む。一方、ホワイトバランスブラケット撮影が設定済と判定した場合はステップＳ３６へ進み、色温度設定処理を行う。ここでの色温度設定処理も、前記露出設定処理やＩＳＯ感度設定処理と同様、カメラの設定によりブラケット撮影の順序（低色温度側、標準色温度、高色温度側をどういう順序で撮影するか）が多様に変更可能であるので、それに応じて低色温度側、標準色温度、高色温度側のいずれかに色温度を設定する処理のことを言う。
【００３２】
前記設定済のブラケット撮影機能における各パラメータの設定が終了するとステップＳ３７へ進み、実際の撮影処理に移る。そして、撮影処理が終了するとステップＳ３８へ進み、ブラケット撮影が終了かどうかを判定し、規定駒数撮影していれば、この複数のブラケット撮影を、組み合わせて行う撮影処理を終了する。規定駒数撮影していなければステップＳ３１へ戻り、以下同様の処理を行う、つまり再度各パラメータ設定処理をし直してそれぞれのブラケット撮影を行うことになる。
【００３３】
ここで、図８は、露出ブラケット撮影の段数が１．０段、ＩＳＯ感度ブラケット撮影の段数が２．０段として設定されており、露出ブラケット撮影が、標準→アンダー側→オーバー側の順で設定され、露出ブラケット撮影１駒終了時の外部ＬＣＤでの表示状態を示している。この場合も、グレーの部分は点滅等の注意を促す表示にすることで、現在が露出ブラケット撮影とＩＳＯ感度ブラケットを組み合わせた撮影であることと、次の撮影は露出ブラケットアンダー側で行われることが明確にしている。
【００３４】
なお、３駒撮影する代わりに、１駒撮影し、その撮影画面から画像処理により３駒の撮影画面を作成し、記録するようにしても良い。
【００３５】
次に、ブラケット撮影が終了するまでの間に、設定値の変更が行われた場合の処理についての詳細な説明を、図１３のフローチャートを用いて行う。
【００３６】
複数のブラケット撮影を、順番に行ったり、組み合わせて行ったりしている撮影途中（その撮影がすべて終了するまでの間）において、段数等の設定値変更を行うことも可能である。つまり、上記のブラケット撮影途中であっても、操作部材６に含まれるメニュー釦が押下されると、表示装置５に含まれるＴＦＴ液晶表示部に変更可能なメニュー表示がされ、そのメニューのいずれかを選択可能である。図１４は、その場合のＴＦＴ液晶表示部におけるメニュー表示の一例を示すものであり、「設定値変更を禁止する」、「変更された設定値で継続撮影」、「変更された設定値で１駒から撮影」の中より選択可能にしている。メニューの変更は、操作部材６に含まれる電子ダイアルの操作によって任意に変更することが可能である。
【００３７】
実際の制御回路４での処理を、図１３のフローチャートにしたがって説明する。図１３において、まずステップＳ４１にて、操作部材６に含まれる各ブラケット撮影機能設定釦が押下されてブラケット撮影が終了するまでは、「設定値変更を禁止する」が選択されているかどうかを判定し、選択されている場合はステップＳ４３へ進み、表示装置５に含まれる外部ＬＣＤなどに警告表示を行い、この処理を終了する。
【００３８】
また、前記ステップＳ４１にて「設定値変更を禁止する」が選択されていなかった場合はステップＳ４２へ進む。ここでは操作部材６に含まれる電子ダイアル等の各ブラケット撮影機能設定値変更操作が受け付けられる状態となるため、設定値変更に対して所定のブラケット撮影機能設定値更新処理を行う。これは、再設定、解除の両方を含む。そして、次のステップＳ４４にて、現在の複数のブラケット撮影が、設定値変更に対して継続撮影かどうかを判定する。この結果、継続撮影であれば、この処理を終了する。一方、継続撮影でなければステップＳ４５へ進み、撮影を１駒目に戻す処理、つまり強制送還処理を行う。この強制送還処理では、撮影機能を１駒目に戻す他、表示装置５に含まれる外部ＬＣＤ等の表示もすべて１駒目に戻す処理を行う。
【００３９】
以上の実施例によれば、設定可能なブラケット撮影機能として、露出ブラケット、ＩＳＯ感度ブラケット、ホワイトバランスブラケットの各撮影機能を有するカメラにおいて、前記ブラケット撮影機能のうち１つが既に設定されていても、残りのブラケット撮影機能の設定を可能にする操作部材６に含まれる各設定釦を備え、この設定釦により複数個のブラケット撮影機能が設定された場合、制御回路４は、複数のうちの選択される撮影処理（この実施例では、「複数のブラケット撮影を所定の順番に行う」撮影処理、もしくは、「複数のブラケット撮影を組み合わせて行う」）にて前記複数のブラケット撮影を実行するようにしている。
【００４０】
よって、同時に複数のブラケット撮影機能を様々な方法で多様に利用することができるカメラとすることができるものである。また、複数のブラケット撮影機能の設定操作やその機能を多様に使用する際の操作も、ブラケット撮影前に、各設定釦の押下及びメニュー表示を見ながら行うことができるので、操作が煩わしいという問題もなくなる。
【００４１】
また、設定されたブラケット撮影がすべて終了するまでの間に、それらのうちの１つでもブラケット撮影機能の設定が変更されることがあれば、変更後の設定において、ブラケット撮影を継続して行ったり、ブラケット撮影を１駒目からやり直したりして行うことも可能であり、複数のブラケット撮影機能を、より様々な方法で利用することができる。また、設定されたブラケット撮影がすべて終了するまでの間は、どのブラケット撮影機能の設定も禁止することができ、多様に利用できるカメラとなる。
【００４２】
また、複数のブラケット撮影がすべて終了した後も、それらブラケット撮影機能の設定を保持することも可能である。
【図面の簡単な説明】
【００４３】
【図１】本発明の一実施例に係わるカメラの概略構成を示すブロック図である。
【図２】図１の表示装置に含まれる外部ＬＣＤの全点灯状態を示す図である。
【図３】本発明の一実施例において露出ブラケット撮影機能設定時における外部ＬＣＤでの表示例を示す図である。
【図４】本発明の一実施例においてＩＳＯ感度ブラケット撮影機能設定時における外部ＬＣＤでの表示例を示す図である。
【図５】本発明の一実施例において複数のブラケット撮影が順番に行われる際の、露出ブラケット撮影機能とＩＳＯ感度ブラケット撮影機能の両方が設定済の場合における外部ＬＣＤでの表示例を示す図である。
【図６】本発明の一実施例において複数のブラケット撮影が組み合わせて行われる際の、露出ブラケット撮影機能とＩＳＯ感度ブラケット撮影機能の両方が設定済の場合における外部ＬＣＤでの表示例を示す図である。
【図７】本発明の一実施例において露出ブラケット撮影とＩＳＯ感度ブラケット撮影が順番に行われる際の、１駒撮影後の外部ＬＣＤでの表示例を示す図である。
【図８】本発明の一実施例において露出ブラケット撮影とＩＳＯ感度ブラケット撮影が組み合わせて行われる際の、３駒撮影後の外部ＬＣＤでの表示例を示す図である。
【図９】本発明の一実施例において複数のブラケット撮影における撮影処理を選択する際のＴＦＴ表示によるメニュー表示例を示す図である。
【図１０】本発明の一実施例に係わる複数のブラケット撮影時の動作を示すフローチャートである。
【図１１】図１０のステップＳ１２にて実行される詳細な動作を示すフローチャートである。
【図１２】図１０のステップＳ１３にて実行される詳細な動作を示すフローチャートである。
【図１３】本発明の一実施例に係わるブラケット撮影終了前設定値変更時の動作を示すフローチャートである。
【図１４】本発明の一実施例に係わるブラケット撮影終了前設定値変更処理を選択する際のＴＦＴ表示によるメニュー表示例を示す図である。
【符号の説明】
【００４４】
１      レンズ
２      露出制御装置
３      撮像素子
４      制御回路
５      表示装置
６      操作部材
【図１】
2005173169.tif 000003
【図２】
2005173169.tif 000004
【図３】
2005173169.tif 000005
【図４】
2005173169.tif 000006
【図５】
2005173169.tif 000007
【図６】
2005173169.tif 000008
【図７】
2005173169.tif 000009
【図８】
2005173169.tif 000010
【図９】
2005173169.tif 000011
【図１０】
2005173169.tif 000012
【図１１】
2005173169.tif 000013
【図１２】
2005173169.tif 000014
【図１３】
2005173169.tif 000015
【図１４】
2005173169.tif 000016